(57)【要約】      （修正有）【課題】部屋の床全面に使用する場合、畳縁の長さ方向端縁部に、弾力性の有る幅調節材を付設することで、容易に、部屋の床全面の寸法に合わせる事が出来る、それにより、縦横の寸法を規格化することが出来、部屋の床全面に敷き込む畳においても、裏表両面が使用出来る畳を設ける事を可能とする。【解決手段】  畳縁の長さ方向と同じ長さの裏表両面に畳縁、絨毯、カーペット、板材、等の模様を施した、弾力性の有る樹脂発泡体及びゴム発泡体等の幅調節材４を設けたものである。【選択図】図１
2006152779.tif 000002
【特許請求の範囲】
【請求項１】
主に部屋の床全面に使用し、裏表両面に表面材（３）を有し、且つ厚さが２０ｍｍ〜５０ｍｍの畳（１）であって、該畳（１）の畳縁の長さ方向端縁部に、畳（１）の長さ方向と同じ長さで、厚さ２０ｍｍ〜５０ｍｍ、幅２５ｍｍ〜３５ｍｍの弾力性の有る幅調節材（４）を付設することを特徴とする敷き込み用畳。
【請求項２】
前記表面材（３）としては、畳表、絨毯、カーペット、板材等を使用し、芯材（２）の裏表両面に、仕様に合わせ貼設し、裏表を反転させることで、裏表両面を用途に合わせ使用可能としたことを特徴とする請求項１記載の敷き込み用畳。
【請求項３】
前記幅調節材（４）は、畳縁の長さ方向と同じ長さとし、表裏両面に畳縁、絨毯、カーペット、板材等の模様を施した、樹脂発泡体及びゴム発泡体等の弾力性の有る材質から成り、端部に取外し用掛穴（６）を設けたことを特徴とする請求項１〜２記載の敷き込み用畳。
【発明の詳細な説明】
【技術分野】
【０００１】  本発明は、主に部屋の床全面に敷き込む畳において、互いに接する畳縁の長さ方向端縁部に、弾力性の有る幅調節材を付設することで、容易に、畳を敷き込む事が出来るもので、それにより、畳の形状を規格統一出来、自由に、反転及び取替え可能な畳に関する。
【背景技術】
【０００２】  畳は、奈良時代に日本人の知恵が生み出した固有のもので、真薦を編んだ筵のようなものを５〜６枚重ねて床とし、表にイ草の薦をかぶせて錦の縁をつけたものが最初である。
これを数枚並べて、ベットの様な使い方をしていた、平安時代に現在の様な畳床（芯材）、畳表（イ草のござ）、畳縁（縁布）の構造になったが、使い方は、板敷の間に座具や寝具などとして畳が所々に置かれていた、そして使う人の位によって畳の厚さや、縁の生地、色についての規定があり、その種類によって使う人も決まっていた。
やがて鎌倉時代から室町時代にかけ建築様式の変化に伴って、置き畳から、部屋全体に畳を敷きつめる使い方になり、建物の床材として使われる様になった。
上記の様に、部屋全体に畳を敷きつめる場合、先ず部屋の寸法を測るところから始めて、畳床と畳表と畳縁を加工して１枚の畳に仕上げるもので、この様に、一つ一つの畳は、オーダーメードで作られており、現在でも畳は、部屋の寸法に合わせ、オーダーで作られているものである。【０００３】  最近は、生活様式の西洋化に伴い、畳を使わないフローリング（板敷）が多くなり、このフローリング（板敷）の一部に置くために、置き畳がまた使われるようになった。
更に、この様な置き畳の中には、裏表両面が使用出来る物もあった。
この様な置き畳としては、（例えば、特許文献１参照。）これは、平面視がほぼ正方形の物で、縦横の寸法の規格が統一された物である。
【特許文献１】
【発明の開示】
【発明が解決しようとする課題】  しかしながら、上記の様な畳は、フローリング（板敷）の部屋の一部に置くもので、置く場所の広さや形状に制限されずに置く事が出来る、その為、縦横の寸法の規格を統一することが出来、それにより裏表両面が使用出来る事を可能とした物であった。【０００４】  しかし、畳を部屋の床全面に敷き込む和室の場合は、畳を其のまま反転せる事は不可能であった、それは、和室は一部屋ごとに寸法が異なり、隣の部屋同士であっても同じ寸法とは限らなかった、その為、先ず部屋の寸法を測るところから始めて、畳床と畳表と畳縁を加工して１枚の畳に仕上げるもので、職人による手作業により、オーダーメードで作られているものであり、その為、一つ一つの畳は微妙に寸法が異なり、又オーダーであるためコストが掛かり、高価な物であった。
この様な問題を解決するために本発明は、成された物で、部屋の床全面に使用する場合、畳縁の長さ方向端縁部に、弾力性の有る幅調節材を付設することで、容易に、部屋の床全面の寸法に合わせる事が出来る、それにより、縦横の寸法を規格化することが出来、部屋の床全面に敷き込む畳においても、裏表両面が使用出来る畳を設ける事を可能とした物である。
【課題を解決するための手段】
【０００５】  以上の様な状況に鑑み請求項１記載の本発明は、裏表両面に表面材を有し、且つ厚さが２０ｍｍの〜５０ｍｍの畳であって、該畳の畳縁の長さ方向端縁部に、畳の長さ方向と同じ長さの厚さ２０ｍｍ〜５０ｍｍ、幅２５ｍｍ〜３５ｍｍの弾力性の有る幅調節材を付設することで、容易に部屋の寸法に合わせて畳を敷き込む事を可能とした物である。【０００６】  次に、請求項２記載の本発明は、前記幅調節材を付設することで、容易に部屋の寸法に合わせて畳を敷き込む事を可能とした事で、畳の縦横の寸法を規格化することが出来、此れまで不可能であった、敷き込み畳の両面使用を可能としたものである、それにより、芯材の裏表両面に、表面材として畳表、絨毯、カーペット、板材等を仕様に合わせ貼設し、裏表を反転させることで、裏表両面を用途に合わせ使用可能としたものである。【０００７】  更に、請求項３記載の本発明は、畳縁の長さ方向と同じ長さの裏表両面に畳縁、絨毯、カーペット、板材、等の模様を施した、弾力性の有る樹脂発泡体及びゴム発泡体等の幅調節材を設け、該幅調節材の端部に取外し用掛穴（６）を設けたものである。
【発明の効果】
【０００８】  本発明は上記した構成を成すもので、以下に記載されるような効果を奏する。
これまで部屋の寸法に合わせて、職人によるオーダーメードでしか作れなかった畳を、縦横の寸法を規格化出来る事で、工場による大量生産が可能となり、コストの軽減になる。【０００９】  縦横の寸法を規格化出来る事で、裏表を容易に反転させる事が出来るもので、それにより、裏表両面にそれぞれ違う表面材を貼設し、畳表から板材へ等、必要に応じて部屋の仕様を自由に変えることが出来るものである。【００１０】  畳は、日本固有の物であり、これまで余り国外では使用されていなかった、その理由として、畳は、職人によるオーダーメードでしか作れないと言う問題が有った、しかし、縦横の寸法を規格化出来る事で、工場による生産が可能となり、その国の建物や生活様式に合ったものを、作る事が出来るようになる。
【発明を実施するための最良の形態】
【００１１】  本発明の実施の形態を実施例にもとづき図面を参照して説明する。
図１において、本発明は、芯材（２）の裏表両面に表面材（３）を設け、この時畳（１）の厚さが全体で２０ｍｍ〜５０ｍｍ前後に成るように設ける。【００１２】  前記表面材（３）としては、畳表、絨毯、カーペット、板材等を使用し、芯材（２）の裏表両面に、仕様に合わせ貼設し、裏表を反転させることで、裏表両面を用途に合わせ使用するものである。【００１３】    次に、畳（１）の畳縁の長さ方向端縁部に、該畳縁と同じ長さの厚さ２０ｍｍ〜５０ｍｍ、幅２５ｍｍ〜３５ｍｍの弾力性の有る幅調節材（４）を設ける。【００１４】  前記幅調節材（４）は、畳縁の長さ方向と同じ長さとし、表裏両面に畳縁、絨毯、カーペット、板材、等の模様を施した、樹脂発泡体及びゴム発泡体等の弾力性の有る材質を使用し、端部に取外し用掛穴（６）を設けるものである。【００１５】  更に、前記畳（１）の縦横の寸法は、幅調節材（４）の幅を考慮し、一般的な畳の寸法より、小さい物が好ましい。
【実施例】
【００１６】  本発明の実施例としては、先ず、芯材（２）の表面にイ草の茣蓙と裏面に板材を各々貼設した畳（１）を、全体の厚さが５０ｍｍに成るように設け、更に、該畳（１）の短さ方向の長さを一般的な畳の二分の一に加工した細畳を設ける。【００１７】    次に、細畳の畳縁の長さ方向端縁部に、該畳縁と同じ長さの厚さ５０ｍｍ、幅２５ｍｍで、表裏両面に畳縁、板材、の模様を施し端部に取外し用掛穴（５）を設けた、樹脂発泡体及びゴム発泡体等の弾力性の有る材質を使用した幅調節材（４）を設けるものである。【００１８】  上記の様な構成をなすもので、これを使用する場合は、畳表から板材へ等、必要に応じて部屋の仕様を自由に変えることが出来るものである。【００１９】  更に、厚さの薄い畳を使用する場合は、先ず、荒床全面に断熱効果の有るウレタンフォーム等の基材（６）を敷きつめ、高さを調節した後に、畳を敷くものである。
【図面の簡単な説明】
【図１】    本発明の実施例を示す部分拡大図
【図２】    本発明の実施例を示す斜視図
【図３】    本発明の実施例を示す使用参考図１
【図４】    本発明の実施例を示す使用参考図２
【符号の説明】
１  畳
２  芯材
３  表面材
４  幅調節材
５  掛穴
６  基材
【図１】
2006152779.tif 000003
【図２】
2006152779.tif 000004
【図３】
2006152779.tif 000005
【図４】
2006152779.tif 000006